(57)【要約】【課題】プリ発光により得られた画面データにより撮影用のストロボ発光量を決定する方式では、被写体に当たる光がプリ発光時のストロボの光が支配的だった場合には有効であるが、周囲の光、例えば蛍光灯や太陽光が存在する場合、その光の分も画像のデータとして取り込まれてしまうため、光が強い＝近距離にあると誤動作し、ストロボの光量を落とし、十分な明るさが得られない場合がある。【解決手段】ストロボ発光要求から所定時間経過後、図５（ｃ）に示すようにＣＣＤ電荷放出パルスが入力され、このパルスに基づきＣＣＤ駆動手段３はＣＣＤ１を駆動制御して、それまでＣＣＤ１に蓄積していた電荷を全て掃き出す。よって、このタイミングで図５（ａ）に示すようにＣＣＤ１の蓄積電荷は一時的に０になる。さらに、所定時間経過後、図５（ｄ）に示すようにプリ発光トリガが入力され、ストロボ８がプリ発光を行う。【選択図】図５
2006261734.tif 000002
【特許請求の範囲】
【請求項１】
撮像時に発光する本発光の前にプリ発光を行うストロボを有し、前記ストロボを発光制御可能なカメラ装置であって、
入射される光を電気信号に変換する撮像素子と、前記撮像素子からの電気信号における光量を検出する信号処理手段と、前記信号処理手段からの制御に基づき前記ストロボの発光制御を行うストロボ制御手段と、前記信号処理手段からの制御に基づき前記撮像素子を駆動制御する撮像素子駆動制御手段とを備え、
ストロボ発光要求が入力された際、前記信号処理手段は、まず撮像素子駆動制御手段に対して前記撮像素子に蓄積されている電荷を掃き出すよう制御し、次にストロボ制御手段が前記ストロボに対してプリ発光を行うよう制御し、次に前記信号処理手段が前記撮像素子で撮像した映像信号に基づき本発光の発光量を制御し、次に前記ストロボ制御手段が前記ストロボに対して本発光を行うよう制御することを特徴とするカメラ装置。
【請求項２】
撮像時に発光する本発光の前にプリ発光を行うストロボを有し、前記ストロボを発光制御可能なカメラ装置であって、
光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路とを前記アンプ回路からの信号を元に制御する露光制御手段と、前記露光制御手段の前記光量制限手段と前記アンプ回路の制御情報を読み取り前記撮像素子駆動手段に割り込み制御をかける撮像素子制御手段と、前記露光制御手段から前記ストロボを制御するストロボ制御手段とを有し、
ストロボ発光要求が入力された際、前記撮像素子制御手段は前記撮像素子駆動手段を制御して前記撮像素子に蓄積している電荷を掃き出し、前記ストロボ制御手段が前記ストロボに対してプリ発光をするよう制御することを特徴とするカメラ装置。
【請求項３】
撮像素子制御手段は、前記露光制御手段からの前記光量制限手段の制御情報へ重み付けが可能なアイリス情報重み付け手段と、前記露光制御手段からの前記アンプ回路の制御情報へ重み付けが可能なＡＧＣ情報重み付け手段と、前記アイリス情報重み付け手段と、前記ＡＧＣ情報重み付け手段から、前記撮像素子駆動手段への割込みタイミングを決定するタイミング決定手段を有する事を特徴とする請求項１のカメラ装置。
【請求項４】
閃光を照射するストロボ装置であって、
光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路を前記アンプ回路からの信号を元に制御する露光制御手段と、前記露光制御手段の前記光量制限手段と前記アンプ回路の制御情報を読み取り前記撮像素子駆動手段に割り込み制御をかける撮像素子制御手段と、前記露光制御手段からストロボを制御するストロボ制御手段とからなるカメラ装置に接続可能で、
前記ストロボ制御手段の出力に応じて発光量を制御されることを特徴とするストロボ装置。
【発明の詳細な説明】
【技術分野】
【０００１】
本発明は、ビデオカメラ、及びデジタルカメラにおけるストロボによる撮影に関するものである。
【背景技術】
【０００２】
一般的にストロボ撮影は、被写体からの反射光を測量しストロボ発光を停止する測光センサータイプと、撮影用のストロボ発光（本発光）前に一度、定量のストロボ発光（以下プリ発光）を行い、その画面のデータより、撮影用のストロボ発光量を演算するタイプがある。後者は、測光センサーやストロボ発光停止回路などが必要でなく、画面データによりストロボ発光量が決定できるため、被写体情報から、ストロボ発光量に様々な補正を加える事ができ、常に安定したストロボ撮影が可能となる。
【特許文献１】特開平１０−３２７５０号公報
【特許文献２】特開２００３−６０９７７号公報
【発明の開示】
【発明が解決しようとする課題】
【０００３】
しかしながら、プリ発光により得られた画面データにより撮影用のストロボ発光量を決定する方式では、被写体に当たる光がプリ発光時のストロボの光が支配的だった場合には有効であるが、周囲の光、例えば蛍光灯や太陽光が存在する場合、その光の分も画像のデータとして取り込まれてしまうため、光が強い＝近距離にあると誤動作し、ストロボの光量を落とし、十分な明るさが得られない場合がある。これは、一画面におけるＣＣＤへの露光時間に対し、プリ発光の時間が極度に短いために発生する課題である。
【０００４】
従来、プリ発光の時間幅を変化させたり、本発光の時間を周囲の光の量合わせて補正演算することを行っていたが、これであると補正演算が非常に複雑になり、ソフトウェア容量などが膨大になってしまう事がある。
【０００５】
本発明は、上記の課題を解決するもので、プリ発光前の画面データや制御情報を元に、ＣＣＤに発生する電荷量をコントロールし、プリ発光によって取得される画面データを被写体や被写体の周囲の条件によらず、常に安定させることを目的とし、本発光における複雑な補正演算などを必要とせず、常に安定したストロボ撮影を提供する事を目的とする。
【課題を解決するための手段】
【０００６】
この課題を達成するために本発明のカメラ装置は、撮像時に発光する本発光の前にプリ発光を行うストロボを有し、前記ストロボを発光制御可能なカメラ装置であって、光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路とを前記アンプ回路からの信号を元に制御する露光制御手段と、前記露光制御手段の前記光量制限手段と前記アンプ回路の制御情報を読み取り前記撮像素子駆動手段に割り込み制御をかける撮像素子制御手段と、前記露光制御手段から前記ストロボを制御するストロボ制御手段とを有し、ストロボ発光要求が入力された際、前記撮像素子制御手段は前記撮像素子駆動手段を制御して前記撮像素子に蓄積している電荷を掃き出し、前記ストロボ制御手段が前記ストロボに対してプリ発光をするよう制御するものである。
【０００７】
上記露光制御手段の情報を常に監視しＣＣＤの駆動制御を行う。プリ発光のタイミングは一般的に、ＣＣＤが露光している時間内に行われるが、周囲が明るいと、その光による電荷がＣＣＤに発生し、それにプリ発光による電荷が加算されて出力されるため、画面データとして大きくなる。これを解決するため、上記露光制御手段の情報により、ＣＣＤ駆動に割り込みをかけ、プリ発光時に、今までに露光されたＣＣＤの電荷を捨ててしまう制御を行う。これにより、プリ発光により取り込まれた画面のデータが大きくなる過ぎることを防止し、周囲状況によらず、一定のストロボ発光を得られる事を目的とする。
【発明の効果】
【０００８】
以上のように本発明は、プリ発光直前に、ＣＣＤに露光された電荷を露光制御手段の情報より一旦捨ててしまうことにより、周り光量や、被写体の明るさなどによらない常に安定したストロボ撮影を可能とする優れた効果が得られる。
【発明を実施するための最良の形態】
【０００９】
本発明の請求項１に記載の発明は、撮像時に発光する本発光の前にプリ発光を行うストロボを有し、前記ストロボを発光制御可能なカメラ装置であって、入射される光を電気信号に変換する撮像素子と、前記撮像素子からの電気信号における光量を検出する信号処理手段と、前記信号処理手段からの制御に基づき前記ストロボの発光制御を行うストロボ制御手段と、前記信号処理手段からの制御に基づき前記撮像素子を駆動制御する撮像素子駆動制御手段とを備え、ストロボ発光要求が入力された際、前記信号処理手段は、まず撮像素子駆動制御手段に対して前記撮像素子に蓄積されている電荷を掃き出すよう制御し、次にストロボ制御手段が前記ストロボに対してプリ発光を行うよう制御し、次に前記信号処理手段が前記撮像素子で撮像した映像信号に基づき本発光の発光量を制御し、次に前記ストロボ制御手段が前記ストロボに対して本発光を行うよう制御するものである。
【００１０】
本発明の請求項２に記載の発明は、光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路を前記アンプ回路からの信号を元に制御する露光制御手段と、前記露光制御手段の前記光量制限手段と前記アンプ回路の制御情報を読み取り、前記撮像素子駆動手段に割り込み制御をかける撮像素子制御手段と、前記露光制御手段から、ストロボを制御するストロボ制御手段と、前記ストロボ制御手段の出力に応じて発光量が変化可能なストロボを有することを特徴とするカメラ装置であって、前記露光制御手段からの情報を元に、前記ＣＣＤ制御手段から前記ＣＣＤ駆動手段へ割り込みを行い、前期ＣＣＤへの露光時間をコントロールし、プリ発光によって得られる画面データを常に一定に保てるようにし、周囲の光などに影響されず、安定してストロボ撮影を提供する作用を有する。
【００１１】
請求項３に記載の発明は、前記露光制御手段からの前記光量制限手段の制御情報へ重み付けが可能なアイリス情報重み付け手段と、前記露光制御手段からの前記アンプ回路の制御情報へ重み付けが可能なＡＧＣ情報重み付け手段と、前記アイリス情報重み付け手段と、前記ＡＧＣ情報重み付け手段から、前記ＣＣＤ駆動手段への割込みタイミングを決定するタイミング決定手段を有する事を特徴とする請求項１のカメラ装置であって、重み付けされた情報により、前記ＣＣＤに露光された電荷を前記タイミング決定手段により決定されたタイミングにより、プリ発光前に、電荷を前記ＣＣＤから排出させる作用を有する。
【００１２】
請求項４に記載の発明は、閃光を照射するストロボ装置であって、光を電気信号へ変換する撮像素子と、前記撮像素子への入射光量を制限する光量制限手段と、前記撮像素子から信号を取り出すための制御パルスを発生する撮像素子駆動手段と、前記撮像素子から出力された信号を増幅するアンプ回路と、前記光量制限手段と前記アンプ回路を前記アンプ回路からの信号を元に制御する露光制御手段と、前記露光制御手段の前記光量制限手段と前記アンプ回路の制御情報を読み取り、前記撮像素子駆動手段に割り込み制御をかける撮像素子制御手段と、前記露光制御手段から、ストロボを制御するストロボ制御手段とからなるカメラ装置に接続可能で、前記ストロボ制御手段の出力に応じて発光量を制御されることを特徴とするストロボ装置に関するものである。
【００１３】
以下、本発明の実施の形態について図１から図８を用いて説明する。
【００１４】
（実施の形態１）
図１は、本発明の請求項１に記載のカメラ装置の構成を示すブロック図であり、図１において、１はレンズ（図示せず）や光量制御手段２を介して入射する光を電気信号に変換する撮像素子（以下、ＣＣＤと記す）であり、本実施の形態では固体撮像素子（ＣＣＤ）用いたが、これに限定されるものではない。
【００１５】
２はＣＣＤ１への光の量を制限する光量制限手段で、いわゆる絞り装置である。
【００１６】
３はＣＣＤ１を駆動するためのパルスを発生させる撮像素子駆動手段であるＣＣＤ駆動手段である。
【００１７】
４はＣＣＤ１からの電気信号を増幅する増幅手段であるアンプ回路で、通常は増幅率は０とするが、撮影環境や被写体周辺が暗くなった場合など、光の量が不足したきにＣＣＤ１からの電気信号の増幅を始める回路である。
【００１８】
５はアンプ回路４からの信号を元に、一定の信号を得られるように光量制限手段２とアンプ回路４の制御を行う露光制御手段であり、アンプ回路４と露光制御手段５とで信号処理手段を構成している。
【００１９】
６は露光制御手段５から光量制限手段２とアンプ回路４の制御情報を受け取り、ＣＣＤ駆動手段３へ駆動方法の割り込み制御を行う撮像素子制御手段であるＣＣＤ制御手段である。ＣＣＤ駆動手段３とＣＣＤ制御手段６とで撮像素子駆動制御手段を構成している。
【００２０】
７は露光制御手段５からの情報を受け取り、最適なストロボ発光時間を演算するストロボ制御手段である。
【００２１】
８は静止画撮影時に被写体方向へ閃光を照射するストロボで、ストロボ制御手段７で演算された信号により発光時間が可変可能なものである。プリ発光も本発光も行うことができる。本実施の形態では、デジタルカメラやビデオカメラなどの撮影装置に内蔵されたストロボを想定しているが、ストロボ装置として単体ユニットとし、撮影装置に機械的及び電気的に着脱可能なものとしてもよい。
【００２２】
以上のように構成されたカメラ装置について、図面を用いてその動作を説明する。
【００２３】
まず、基本的な撮像の流れであるが、レンズ（図示せず）及び光量制限手段２を介して入射される光信号をＣＣＤ１が結像し、電気信号に変換して出力する。なお、ＣＣＤ１における具体的な動作としては詳述しないが、一般的には複数のホトトランジスタ（画素）で受光した光信号を電気信号に変換し、所定のタイミングで垂直転送レジスタ及び水平転送レジスタを通じて出力している。
【００２４】
ＣＣＤ１から出力された電気信号はアンプ回路４に入力されて、所定量ゲインを増幅する。アンプ回路４で増幅された電気信号は露光制御手段５に入力されて、電気信号である映像信号の明るさを判別して、その明るさに応じて光量制限手段２における絞り量を制御したり、その他にＣＣＤ制御手段６などを制御したりする。
【００２５】
また、露光制御手段５は映像信号の明るさが足りないと判断した場合は、ストロボ制御手段７に対して、ストロボ８を発光させるよう命令を行う。ストロボ制御手段７は露光制御手段５からの命令に基づき、ストロボ８に対して閃光を発光するよう制御する。以降の動作については説明の便宜上省略する。
【００２６】
次に、ストロボ発光時の動作について、さらに具体的に説明する。
【００２７】
露光制御手段５は、アンプ回路からの出力を一定に保つために、ＣＣＤ１に当たる光の量を光量制限手段２と、アンプ回路４に対し、自動的に制御を行うが、その制御情報を常にＣＣＤ制御手段６へと送っている。
【００２８】
ＣＣＤ制御手段６と、ストロボ制御手段７へストロボ発光要求が来た場合、まず、プリ発光を行い露光制御手段５へ入った画像データを元にストロボ制御手段７が撮影に必要なストロボ発光時間を演算し、撮影用ストロボ発光時間を決定する。
【００２９】
図２のように、ＣＣＤ１などを代表とする撮像素子は、静止画を連続して出力することにより動画を構成しているが、その一画面あたりの露光時間は常に一定である。プリ発光時間はその露光時間内で行い、常に一定時間であるため、取り込まれる画像データの大きさは、被写体の距離にほぼ比例し、遠ければ小さく、近ければ大きくなる。この大小により本発光時間を決定している。なお、図２はＣＣＤ１における電荷蓄積の時間的変化を示した特性図であり、Ｘ軸が時間、Ｙ軸が電荷量を示している。
【００３０】
しかしながら、図３のように周囲の光が少ないあるいは周囲が暗い場合には、プリ発光によって発生する電荷が画面データを支配的にし、最適な本発光時間を演算する事ができる。なお、図３は周囲の光が少ないあるいは周囲が暗い場合の、ＣＣＤ１における電荷蓄積の時間的変化を示した特性図であり、Ｘ軸が時間、Ｙ軸が電荷量を示している。図示のように、プリ発光前に蓄積される電荷量は比較的少ないが、プリ発光以降は急激に電荷量が増える。
【００３１】
また、図４のように周囲の光が多い場合、その光の分まで、ＣＣＤ１に露光されてしまうため、プリ発光によるＣＣＤ１の露光量との合計になってしまい、画像データが大きくなってしまう。画像データが大きくなってしまうと、近距離に被写体があると誤動作し、撮影用のストロボ発光時間が短くなってしまうため、撮影用のストロボ発光時間が短くなり、意図とする明るさまで到達しないことがある。なお、図４は周囲の光が多いあるいは周囲が明るい場合の、ＣＣＤ１における電荷蓄積の時間的変化を示した特性図であり、Ｘ軸が時間、Ｙ軸が電荷量を示している。図示のように、プリ発光前に蓄積される電荷量は比較的多く、プリ発光以降も急激に電荷量が増えることはない。
【００３２】
これを解決するために、ＣＣＤ制御手段６は、ストロボ発光要求が来る直前の露光制御手段５の情報を監視し、ＣＣＤ駆動手段３へ対し、割り込みをかける機能を有する。露光制御手段５からＣＣＤ制御手段６へは、「周囲の光の量が大きい＝光量制限手段２が制限大、アンプ回路４の増幅率が小さくなる」という情報を出しているため、ＣＣＤ制御手段６はこの情報を元に、ＣＣＤ１に露光された電荷を一定に保つべく割り込み動作をかける。具体的には、ＣＣＤ制御手段６は、ＣＣＤ駆動手段３に対してＣＣＤ１を駆動制御するよう制御している。
【００３３】
上記で説明したとおり、撮影環境の周囲に、ある程度の光が存在すると、その分の露光時間もＣＣＤ１から電荷が発生してしまい、撮影用ストロボ発光時間を低下させる原因となる。
【００３４】
そこで本実施の形態は、図５のようにＣＣＤ制御手段６は、プリ発光の直前になると、ＣＣＤ駆動手段３へＣＣＤ１の今まで露光されていた電荷を捨ててしまうように、ＣＣＤ電荷放出パルスの出力命令を出す。なお、図５は本実施の形態におけるプリ発光時の動作について示した特性図であり、同図（ａ）はＣＣＤ１における電荷蓄積の時間的変化を示した特性図であり、Ｘ軸が時間、Ｙ軸が電荷量を示している。同図（ｂ）はストロボ発光要求を示しており、具体的には、本装置を備えた撮影装置において、ストロボの発光設定が成されている状態（いわゆる「強制発光モード」や「自動発光モード」など）で、使用者によってレリーズボタンが押された時に、Ｈｉになる信号である。同図（ｃ）はＣＣＤ電荷放出パルスを示すものであり、ストロボ発光要求から所定時間経過後にＣＣＤ１に蓄積している電荷を全て掃き出すよう制御するパルスである。このパルスが入力されると、同図（ａ）に示すように一時的にＣＣＤ１における蓄積電荷が０となる。同図（ｄ）はプリ発光トリガを示すものであり、ＣＣＤ電荷放出パルスから所定時間経過後に入力されるトリガであり、このパルスに基づいてストロボ８がプリ発光する。同図（ｅ）は本発光トリガであり、このトリガが入力されることでストロボ８の本発光動作が行われる。
【００３５】
図５において、まず使用者によって予めストロボ発光許可の設定が成された状態で、レリーズボタンが押されると、図５（ｂ）に示すようにストロボ発光要求がＨｉになる。所定時間経過後、図５（ｃ）に示すようにＣＣＤ電荷放出パルスが入力され、このパルスに基づきＣＣＤ駆動手段３はＣＣＤ１を駆動制御して、それまでＣＣＤ１に蓄積していた電荷を全て掃き出す。よって、このタイミングで図５（ａ）に示すようにＣＣＤ１の蓄積電荷は一時的に０になる。さらに、所定時間経過後、図５（ｄ）に示すようにプリ発光トリガが入力され、このトリガに基づきストロボ制御手段７がストロボ８に対してプリ発光を行うよう制御する。ストロボ８はこの制御により、プリ発光を行う。そして、図５（ｅ）に示すように所定時間経過後に本発光を行い、映像信号を取り込む。
【００３６】
これにより、ＣＣＤ１に露光された電荷が一旦全てクリアされる。こうする事により、ＣＣＤ１に露光された電荷が０に戻るため、プリ発光により発生した電荷量がその画面における画像データを支配的にするため、周囲の光の量に関わらず一定にする事ができる。
【００３７】
なお、図６は上記動作の流れを図示したフローチャートである。具体的な動作については前述しているので、図６を用いた動作説明は割愛する。
【００３８】
以上のように本実施の形態によれば、ストロボ発光量を、撮影したい被写体又は、周囲の光の量によらず常に安定したストロボ撮影を提供できる。
【００３９】
（実施の形態２）
図７は本発明のＣＣＤ制御手段６に関する詳細な構成図である。
【００４０】
図７において、９は、前記露光制御手段からの前記光量制限手段の制御情報を受け取り、その情報に重み付けを可能としたアイリス情報重み付け手段、１０は前記露光制御手段からの前記アンプ回路の制御情報を受け取り、その情報に重み付けを可能としたＡＧＣ情報重み付け手段、１１は前記アイリス情報重み付け手段と、前記ＡＧＣ情報重み付け手段との情報を元に、その情報を合成し、図８のように前記ＣＣＤ１へ対する電荷を排出するタイミング決定するタイミング決定手段である。
【００４１】
以上のように構成されたＣＣＤ制御手段６について、図６，７を用いて説明する。
【００４２】
電荷を排出するタイミングは、規定された一定のタイミングで行われるが、今まで露光された電荷を全て捨ててしまうと、周囲が真っ暗な状態で取得された画面データとほぼ等価となり、本発光による光量が大きくなる。撮影時には、周囲の光も取り込む必要があり、その本発光の光量に加算されるため、前記ＣＣＤ１のダイナミックレンジの不足などにより白とびを起こす可能性がある。
【００４３】
そこで、ＣＣＤ制御手段６は、アイリス情報重み付け手段９と、ＡＧＣ情報重み付け手段１０の情報を元に、ＣＣＤ１から電荷を排出するタイミングに補正をかける作用を有する。アイリス情報重み付け手段９や、ＡＧＣ情報重み付け手段１０は、どちらかの情報に対し優先させるかが可能で、例えば、アイリス情報６０％：ＡＧＣ情報４０％などで、重み付けが可能である。
【００４４】
最終的に、タイミング決定手段により合成され、一つの情報として扱われる。図６で前記タイミング決定手段１１は、ストロボ発光要求を受け取ると、アイリス情報重み付け手段９の情報と、ＡＧＣ情報重み付け手段１０の情報を取得する。その情報を元に、図８のような２次元で規定されたタイミング補正値を元に、通常の電荷を排出するタイミングからその量をずらして、ＣＣＤ駆動手段へ送る。その後、そのずらしたタイミングによりＣＣＤ１の電荷を排出させた後、プリ発光を行いストロボ制御手段７が画面データの取得を行う。その取得されたデータにより本発光に必要な時間を演算し、撮影が行われる。
【００４５】
このようにＣＣＤ１から電荷を排出するタイミングをずらす事で、プリ発光後の周囲の光への露光時間が変化し、画面データとして取得される情報が変化する。周囲の光が大きいときには、タイミングを前にすることにより、周囲の光の露光時間が長くなり、画面データが大きくなる。
【００４６】
これにより、本発光の光量が少なくなり、周囲の光との合計が最適になる。また、暗い場合には、タイミングを遅らせる事により、周囲の光の露光時間が短くなり、本発光の光量が大きくなる。このように、ＣＣＤの電荷を排出するタイミングをずらすことにより、プリ発光で得られる画面データの信頼性を高かめることで、本発光の撮影精度を高める事ができる。
【００４７】
以上のように、本実施の形態によれば、ストロボ発光量を、撮影したい被写体又は周囲の光の量によらず常に安定したストロボ撮影を提供することができる。
【産業上の利用可能性】
【００４８】
本発明のカメラ装置は、デジタルスチルカメラやビデオカメラやカメラ付携帯電話機などの撮影装置に適用して有効なものであり、少なくともストロボを用いて静止画撮影が可能な機器であればよい。
【００４９】
また、本発明のストロボ装置は、前述のカメラ装置に対して機械的及び電気的に着脱可能でかつ閃光を照射することができる単体としてのストロボ装置にも応用可能である。
【図面の簡単な説明】
【００５０】
【図１】本発明の実施の形態１におけるカメラ装置の構成を示すブロック図
【図２】同実施の形態１におけるＣＣＤに発生する電荷量の説明のためのタイミング図
【図３】同実施の形態１における周囲が暗い場合のＣＣＤ電荷量の説明のためのタイミング図
【図４】同実施の形態１における周囲が明るい場合のＣＣＤ電荷量の説明のためのタイミング図
【図５】同実施の形態１におけるＣＣＤの電荷量を排出する説明のためのタイミング図
【図６】本発明の実施の形態２におけるＣＣＤ制御手段の動作ステップを示すフローチャート
【図７】同実施の形態２におけるＣＣＤ制御手段の構成を示すブロック図
【図８】同実施の形態２における電荷を排出するタイミング補正カーブを示す特性図
【符号の説明】
【００５１】
１    ＣＣＤ
２    光量制限手段
３    ＣＣＤ駆動手段
４    アンプ回路
５    露光制御手段
６    ＣＣＤ制御手段
７    ストロボ制御手段
８    ストロボ
９    アイリス情報重み付け手段
１０    ＡＧＣ情報重み付け手段
１１    タイミング決定手段
【図１】
2006261734.tif 000003
【図２】
2006261734.tif 000004
【図３】
2006261734.tif 000005
【図４】
2006261734.tif 000006
【図５】
2006261734.tif 000007
【図６】
2006261734.tif 000008
【図７】
2006261734.tif 000009
【図８】
2006261734.tif 000010